(57)【要約】      （修正有）【課題】リムロックの雌ネジが破損することなく確実にリムロックができるように構成され、リムロックと同時に交換式 パットアームが固定される眼鏡フレームの構造を提供する。【解決手段】リム部１４を有する樹脂製フロントフレームにおいて中央ブリッジ部を上下に分割し、上下に分割された上側ブリッジ部２の裏面側にパットアーム支持凹４を設け、下側ブリッジ部５の下面から上側ブリッジ部２のパットアーム支持凹４までにネジ通し穴７を設ける。一方、別体に金属材などにより成形されたパットアーム支持片部８にネジ穴を設け、パットアーム支持凹４にパットアーム支持片部８を挿入し、その支持片部のネジ穴と止めネジを使用して、上下分割部を締め付けることによりレンズ１３をリム部１４に抱持ロックし、かつ、パットアーム１５を同時に固定する。【選択図】図２
0003178497.tif 000002
【実用新案登録請求の範囲】
【請求項１】
眼鏡のレンズを囲んで固定するリム部を有する樹脂製フロントフレームにおいて、中央ブリッジ部を上下に分割し、上下に分割された上側ブリッジ部の裏面側にパットアーム支持凹を設け、下側ブリッジ部の下面から上側ブリッジ部のパットアーム支持凹までにネジ通し穴をほどこし、一方、別体に金属材などにより成形されたパットアーム支持片部にネジ穴を設け、パットアーム支持凹にパットアーム支持片部を挿入し、その支持片部のネジ穴と止めネジを使用して、上側ブリッジ部の上下分割面とパットアーム支持凹との肉厚部を下側ブリッジ部にて締め付けることにより、レンズをリム部に抱持ロックし、かつ、パットアームを同時に固定することを特徴とする眼鏡フレームの構造。
【請求項２】
請求項１の止めネジ本数は、緩み防止とリム部際の保持力を目的として、２本以上を特徴とする構造。
【考案の詳細な説明】
【技術分野】
【０００１】
本考案は、眼鏡のフロントフレームに関する。
【背景技術】
【０００２】
従来、特許文献１に示すように、眼鏡のレンズを囲んで固定するリム部を有するフロントフレームにおいて、中央ブリッジ部を上下に分割し、上下分割の一方にネジ穴を設け、他方にネジ通し穴を設け、止めネジを使用して上下を締め付けることによりレンズをリムに抱持ロックする方式のリムロック構造の眼鏡で、上下のリムロック部にパットアーム支持片部を挟み込みパットアームを固定する眼鏡は市場で認知されている。
【先行技術文献】
【特許文献】
【０００３】
【特許文献１】特開２００２−２０７１９７
【考案の概要】
【考案が解決しようとする課題】
【０００４】
以上に述べた上記構造の眼鏡にあっては、リム部を有するフロントフレームの材質が樹脂などの軟材の場合、ネジ穴のネジ山強度が低く、止めネジの締め付けにより雌ネジを破損する可能性が高いという問題があった。
【０００５】
本考案は、上記構造が有していた問題を解決しようとするとともに、生産性およびデザイン性と機能性の向上を目的とするシンプル、かつ、効率の良いリムロック構造を提供するものである。
【課題を解決するための手段】
【０００６】
上記課題を解決するために採用した手段を、添付図面に基づいて説明すると次の通りである。
【０００７】
眼鏡のレンズを囲んで固定するリム部を有するフロントフレーム１において、中央ブリッジ部を上下に分割し、上下に分割された上側ブリッジ部２の裏面側３にパットアーム支持凹４を設け、下側ブリッジ部５の下面６から上側ブリッジ部２のパットアーム支持凹４までにネジ通し穴７を設ける。一方、別体に金属材などにより成形されたパットアーム支持片部８にネジ穴９を設け、パットアーム支持凹４にパットアーム支持片部８を挿入し、その支持片部のネジ穴９と止めネジ１０を使用して、上側ブリッジ部２の上下分割面１１とパットアーム支持凹４との肉厚部１２を下側ブリッジ部５にて締め付けることにより、レンズ１３をリム部１４に抱持ロックし、かつ、パットアーム１５を同時に固定する構造。
【考案の効果】
【０００８】
上述したように本考案は、フロントフレームが軟材の樹脂製フレームにおいても金属
材などのパットアーム支持片部のネジ穴によりリムロックをネジ締めする構造のため、雌ネジの破損が大きく低減する。
【０００９】
また、パットアーム支持部にネジ穴加工をするため、フロントフレームにネジ穴加工することに比較して、ネジ穴加工が容易になり生産性が向上する。
【００１０】
従来に比べ、ねじ山強度が向上するため、雌ネジ山数の低減ができる。そのことにより、フロントフレームブリッジ部の正面幅のスリム化が可能になり、デザイン性が向上する。
【図面の簡単な説明】
【００１１】
【図１】図１は本考案の実施形態を示す眼鏡の裏面から見た外観斜視図である。
【図２】図２は本考案の実施形態を示す眼鏡の裏面から見た部品分解斜視図である。
【図３】図３は本考案の実施形態を示す眼鏡のリムロック構造部の断面図である。
【考案を実施するための形態】
【００１２】
以下、本考案の実施の形態を図１〜３に基づいて説明する。
【００１３】
図中、符号１で指示するものはフロントフレームであり、このフロントは樹脂インジェクション成形によって、符号４で指示するパットアーム支持凹と符号７で指示するネジ通し穴などを一体成形で製作している。また、符号１４で指示するリム部の形状はレンズの保持力および、レンズとリムの摩擦音の低減を目的にＴ型形状を採用している。
【００１４】
符号１５で指示するものはパットアームであり、金属材などで一体成形し、パットアーム支持凹４に挿入する部分の符号８で指示するパットアーム支持片部に固定のための符号９で指示するネジ穴がフロントフレームのネジ通し穴７に合致するように施されている。
【００１５】
そして、リム部１４に符号１３で指示するレンズをはめ込み、パットアーム支持凹４に挿入したパットアーム支持片部８のネジ穴９と符号５で指示する下側ブリッジ部を符号１０で指示する止めネジで締めることにより、符号１２で指示する肉厚部が締め付けられることにより、符合２で指示する上側ブリッジ部と符合５で指示する下側ブリッジ部が密着し、レンズ１３がリム部１４に抱持ロックされるリムロック構造である。
【００１６】
尚且つ、自動的にパットアーム１５はフロントフレーム１の本体に固定される。
【００１７】
本考案は上記のように構成されるが、本発明は図示の実施例に限定されるものではなく、パットアーム支持凹４とネジ通し穴７の位置設定を上下逆にし、上側ブリッジ部からネジ締めすることも可能であり、何れのものも本考案の技術的範囲に属する。
【符号の説明】
【００１８】
１    フロントフレーム
２    上側ブリッジ部
３    上側ブリッジ部の裏面側
４    パットアーム支持凹
５    下側ブリッジ部
６    下側ブリッジ部の下面
７    ネジ通し穴
８    パットアーム支持片部
９    ネジ穴
１０  止めネジ
１１  上下分割面  
１２  肉厚部
１３  レンズ
１４  リム部
１５  パットアーム
【図１】
0003178497.tif 000003
【図２】
0003178497.tif 000004
【図３】
0003178497.tif 000005
【手続補正書】
【提出日】平成24年7月13日(2012.7.13)
【手続補正１】
【補正対象書類名】実用新案登録請求の範囲
【補正対象項目名】請求項２
【補正方法】変更
【補正の内容】
【請求項２】
前記止めネジは、緩み防止とリム部際の保持力を目的として、２本以上とすることを特徴とする請求項１に記載の眼鏡フレームの構造。